(57)【要約】【課題】    本発明は、大人から子供まで安全かつ簡便に使用できるシートベルト貫通孔を有する大人子供兼用座席シートに関する。【解決手段】  背もたれにシートベルト貫通孔を縦に設けた座席シートであって、そのシートベルト貫通孔は、少なくとも一方の背もたれの縁部に形成され、そのシートベルト貫通孔は、背もたれの縁部の両方に設けられ、背もたれの下部から上部に至る長さに形成されることを特徴とする大人子供兼用座席シートである。シートベルトをシートベルト貫通孔に通すことによって、子供用として安全に使用できる。また、チャイルドシートを別体で取り付ける必要がなく、手間を要せず、簡便に使用することができる。また、子供の体格に合わせて、シートベルトの固定位置が変えられるので、子供の背丈や体格の成長に応じて、長年使用し続けることができる。【選択図】  図１
2007253702.tif 000002
【特許請求の範囲】
【請求項１】
背もたれにシートベルト貫通孔を縦に設けた座席シートであって、前記シートベルト貫通孔は、少なくとも一方の背もたれの縁部に形成されることを特徴とする大人子供兼用座席シート。
【請求項２】
請求項１において、前記シートベルト貫通孔は、背もたれの縁部の両方に設けられ、背もたれの下部から上部に至る長さに形成されることを特徴とする大人子供兼用座席シート。
【請求項３】
請求項１において、一方のシートベルト貫通孔は、背もたれの下部から上部に至る長さに形成され、他方のシートベルト貫通孔は、背もたれの下部付近に位置し、前記一方のシートベルト貫通孔に比して短い長さに形成されることを特徴とする大人子供兼用座席シート。
【請求項４】
請求項１において、前記シートベルト貫通孔は、背もたれの縁部の一方のみに設けられ、背もたれの下部から上部に至る長さに形成されることを特徴とする大人子供兼用座席シート。
【請求項５】
請求項２ないし請求項４において、前記シートベルト貫通孔は、直線状に形成されることを特徴とする大人子供兼用座席シート。
【請求項６】
請求項２ないし請求項４において、前記シートベルト貫通孔は、湾曲状に形成されることを特徴とする大人子供兼用座席シート。
【請求項７】
請求項６において、前記シートベルト貫通孔は、円弧状に形成されることを特徴とする大人子供兼用座席シート。
【請求項８】
請求項１ないし請求項７において、前記シートベルト貫通孔は、内周面に滑り止め部材を設けることを特徴とする大人子供兼用座席シート。
【請求項９】
請求項８において、前記滑り止め部材は、ゴムであることを特徴とする大人子供兼用座席シート。
【請求項１０】
請求項１ないし請求項７において、前記シートベルト貫通孔は、内周面に突起を設けることを特徴とする大人子供兼用座席シート。
【請求項１１】
請求項１ないし請求項７において、シートベルト貫通孔に切欠部を設けると共に、前記切欠部に貫挿させるストッパーを設けることを特徴とする大人子供兼用座席シート。
【請求項１２】
請求項１ないし請求項７において、背もたれの背面縁部にフックを設けることを特徴とする大人子供兼用座席シート。
【発明の詳細な説明】
【技術分野】
【０００１】
本発明は、大人から子供まで安全かつ簡便に使用できるシートベルト貫通孔を有する大人子供兼用座席シートに関する。
【背景技術】
【０００２】
従来、自動車等の移動車両には、座席シートにシートベルトが既設されているが、これらの座席シート及びシートベルトは、大人用のサイズである。そのため、座席シート及びシートベルトを子供用として使用する際には、チャイルドシートと呼ばれる子供用座席シートを、車内の大人用の座席シートに別体で取り付ける必要があった。
【０００３】
図１７に示されるチャイルドシートは、幼児の胸部全面を覆うプロテクター３０１と、プロテクター３０１の前面上下左右の角部に形成され、自動車付設のシートベルト３００Ｂがスリット３０３を介して着脱自在に挿通されるベルト挿通部３０４、３０５と、プロテクター３０１の側縁下方に取り付けられ、幼児の胴部に捲き付けて結びつけられる胴ベルト３０６と、プロテクター３０１の上縁左右に一端を取り付け、他端を結束部材３０７で結束した２本の肩ベルト３０８と、結束部材３０７に一端をつなぎ、他端を胴ベルト３０６に接触し自在にすり動く状態で連結した背ベルト３０９とからなる乗車時における幼児用保護部材である（特許文献１）。これは、子供の胸部全面を保護する部材を設け、既設の座席シートに別体で取り付けたタイプの子供用座席シートである。
【０００４】
一方、図１８に示されるチャイルドシートは、背もたれに１個所とシートに２個所の合計３個所にシートベルト挿通用スリット４００を設け、その下部にシートベルト係止具４０１が埋設されるたことを特徴とする小児兼成人用シートベルト装置である（特許文献２）。これは、座席シート自体にシートベルト係止具を設けた大人子供兼用座席シートである。
【特許文献１】特許登録第３４８２５５６号
【特許文献２】実開昭６２−１６７７５７
【発明の開示】
【発明が解決しようとする課題】
【０００５】
しかしながら、図１７に示されるチャイルドシートにおいては、プロテクター３０１を胴ベルト３０６、肩ベルト３０８、背ベルト３０９で子供の身体に装着してから、子供の身体をベルト貫通部３０４及びベルト貫通部３０５、股ベルト３１１、背ベルト３０９に設けた結着部材３１０及び結着部材３１３、連結ベルト３１４で車内の座席シートに固定する。一般的に、チャイルドシートは、車内の座席シートとは別体であるため、シートベルトの固定個所が多い。また、座席シートに１個所で取り付けると不安定になるので、複数個所で確実に取り付けようとする工夫がなされ、座席シートへの取り付け構造は、複雑になる傾向がある。チャイルドシートの複雑な取り付け作業は、子供を連れた父母にとって面倒である。子供を連れた父母にとっては、チャイルドシートが車内に既設されていることが望ましいこともある。また、複雑な構造を有するチャイルドシートは、大量生産をすると、不良品を生じさせることが多く、また長年、着脱を繰り返し、何度も使用されると、複雑な構造を有するがゆえに、その部品などが故障の原因になりやすい。また、図１７に示されるチャイルドシートでは、ベルト貫通部３０４及びベルト貫通部３０５は、位置や間隔が固定されていて、胴ベルト３０６等の各ベルトは、長さ調節ができるとしても、その調節できる長さに限度がある。そのため、子供の背丈や体格が大きくなると、各ベルトの長さを調節する限度を超えてしまう。子供の発育状況に応じて、より大きなサイズのものを買わなければならず、子供を有する父母にとっては、経済的な負担が大きい。また、６歳未満の子供が乗車する際は、チャイルドシートを着用することが義務づけられているため、乗車する６歳未満の子供の数に応じてチャイルドシートを車内に設置しなければならない。そのため、図１７に示されるチャイルドシートを車内に複数設置させる場合は特に車内空間に狭小感を生じさせることとなる。
【０００６】
一方、図１８に示されるチャイルドシートにおいては、シートベルト係止具４０１が座席シートの背もたれに１個所と、座部に２個所の合計３個所に形成される。チャイルドシートを使用する際には、シートベルト３０及びシートベルト３１を３個所でシートベルト係止具４０１に取り付けなければならない。シートベルト係止具４０１にそれぞれシートベルト３０及びシートベルト３１を通す作業は、子供を連れた父母にとって、わずらわしく、シートベルト固定手段は、より簡便な方法が求められる。また、図１８では、シートベルト位置は特定の個所に固定されている。従って、子供の背丈や体格が大きくなると、特定されたシートベルト位置では、使用できなくなってしまう。
【０００７】
そこで、本発明は、大人から子供まで安全かつ簡便に使用できるシートベルト貫通孔を有する大人子供兼用座席シートを提供することを目的とする。
【課題を解決するための手段】
【０００８】
上述の課題を解決する手段として、第１の発明は、背もたれにシートベルト貫通孔を縦に設けた座席シートであって、そのシートベルト貫通孔は、少なくとも一方の背もたれの縁部に形成されることを特徴とする。
【０００９】
第２の発明は、シートベルト貫通孔は、背もたれの縁部の両方に設けられ、背もたれの下部から上部に至る長さに形成されることを特徴とする。
【００１０】
第３の発明は、一方のシートベルト貫通孔は、背もたれの下部から上部に至る長さに形成され、他方のシートベルト貫通孔は、背もたれの下部付近に位置し、一方のシートベルト貫通孔に比して短い長さに形成されることを特徴とする。
【００１１】
第４の発明は、シートベルト貫通孔は、背もたれの縁部の一方のみに設けられ、背もたれの下部から上部に至る長さに形成されることを特徴とする。
【００１２】
第５の発明は、シートベルト貫通孔は、直線状に形成されることを特徴とする。
【００１３】
第６の発明は、シートベルト貫通孔は、湾曲状に形成されることを特徴とする。
【００１４】
第７の発明は、シートベルト貫通孔は、円弧状に形成されることを特徴とする。
【００１５】
第８の発明は、シートベルト貫通孔は、内周面に滑り止め部材を設けることを特徴とする。
【００１６】
第９の発明は、滑り止め部材は、ゴムであることを特徴とする。
【００１７】
第１０の発明は、シートベルト貫通孔は、内周面に突起を設けることを特徴とする。
【００１８】
第１１の発明は、シートベルト貫通孔に切欠部を設けると共に、その切欠部に貫挿させるストッパーを設けることを特徴とする。
【００１９】
第１２の発明は、背もたれの背面縁部にフックを設けることを特徴とする。
【発明の効果】
【００２０】
第１の発明によれば、シートベルトをシートベルト貫通孔に通すことによって、子供用として安全に使用できる。また、チャイルドシートを別体で取り付ける必要がなく、手間を要せず、簡便に使用することができる。また、子供の体格に合わせて、シートベルトの位置が変えられる。従って、子供の背丈や体格の成長に応じて、長年使用し続けることができる。
【００２１】
第２の発明によれば、シートベルト貫挿孔は背もたれの下部から上部に至り、縦に設けているので、子供が成長し、子供の座高が高くなるのに応じて、シートベルトの位置を上部へ変えることができる。また、シートベルト貫挿孔は背もたれの縁部の両方に設けられるので、車の進行方向の右左いずれの座席にも設けることができる。
【００２２】
第３の発明によれば、一方のシートベルト貫挿孔は背もたれの下部から上部に至る長さで形成されているので、子供が成長し、子供の座高が高くなるのに応じて、シートベルトの位置を上部へ変え、より高い位置で子供の身体を固定することができる。また、他方のシートベルト貫挿孔は、背もたれの下方付近に形成させ、上部を除いているため、シートベルトの他端が常に下方に位置し、上方に動くことがない。
【００２３】
第４の発明によれば、子供が成長し、子供の座高が高くなるのに応じて、シートベルトの位置を上部へ変えることができる。また、子供用座席シートを別体で取り付ける必要がないので、手間を要せず、簡便に使用することができる。シートベルトを使用する際は、シートベルト係着具を背もたれのシートベルト貫挿孔に一度だけ貫挿させれば良く、子供を連れた父母にとって、より簡単に子供にシートベルトを着用できる。
【００２４】
第５から第７の発明によれば、シートベルト貫通孔は、直線状、湾曲状、円弧状に形成されるので、使用者の好みのデザインで使用できると共に、上記第１から第４の発明と同様の効果を発揮できる。
【００２５】
第８の発明によれば、自動車が凹凸の激しい道を走り座席シートが揺れたときや自動車事故の衝撃が加わったときなど、シートベルトは、滑り留め部材で上下移動することがなく、子供は安全にシートベルトを着用できる。
【００２６】
第９の発明によれば、滑り止め部材にゴムを用いているので、より確実にシートベルトを着用できる。
【００２７】
第１０の発明によれば、シートベルト貫通孔の部分に複数の突起を設けているので、自動車事故などで強い衝撃が加わっても、シートベルトが上下移動せずに、より確実にシートベルトを着用できる。
【００２８】
第１１の発明によれば、シートベルト貫通孔に切欠部を設け、その切欠部にストッパーを貫挿させている。そのため、自動車事故や急ブレーキなどで強い衝撃が加わりシートベルトがシートベルト貫挿孔の上方に移動しようとしても、シートベルトは、ストッパーに引っかかるので、シートベルトが上方に移動することがない。また、切欠部をシートベルト貫挿孔の下方から上方に至るまで複数個所に設けた場合、ストッパーをいずれかの切欠部に挿入することができる。そのため、子供の背丈の高さに応じて、ストッパーを挿入する位置を変更することができる。
【００２９】
第１２の発明によれば、背もたれの背面縁部にフックを設けることによって、シートベルトを確実に保持させ、子供の身体を固定することができる。自動車事故や急ブレーキなどでシートベルトが上方に移動しようとしても、シートベルトは、フックに引っかかるので、シートベルトが上方に移動することがない。また、フックは、背もたれの下方から上方に至るまで複数設けた場合、シートベルトをいずれのフックにも引っかけることができ、子供の背丈の高さに応じて、シートベルトが引っかかる位置を変更することができる。そのため、子供は、安全で、確実にシートベルトを着用することができる。
【発明を実施するための最良の形態】
【００３０】
図面を参照しながら本発明を説明する。本発明において、同じ構造を有する物は、同じ番号を用いて説明する。
【００３１】
［第１の実施例］
図１は、本発明の第１の実施例の大人子供兼用座席シートの前面斜視図である。図２は、本発明の第１の実施例の大人子供兼用座席シートの背面斜視図である。座席シート１は、座部１１と、背もたれ１２と、枕部１３とからなる。シートベルト貫通孔２０は、シートベルト３０及びシートベルト３１の一端が支持される壁側の背もたれ１２の縁部に縦に設けられ、背もたれ１２の下部から上部に至る長さに形成される。シートベルト貫通孔２１は、シートベルト３０及びシートベルト３１の他端が支持されるシートベルト留め具側の背もたれ１２の縁部に縦に設けられ、背もたれ１２の下部から上部に至る長さに形成される。
【００３２】
本発明の第１の実施例の大人子供兼用座席シートの使用方法を以下に説明する。子供は、座部１１に腰をおろし、背もたれ１２に寄りかかる。次に、父母は、シートベルト係着具３２を引き寄せ、シートベルト貫通孔２０を介し背もたれ１２の背面から前面へ通し、シートベルト３０及びシートベルト３１を子供の身体の前面に持ってくる。次に、シートベルト係着具３２をシートベルト貫通孔２１を介し背もたれ１２の前面から背面へ通し、図示しない既設のシートベルト係着具留め具に留める。図1は、シートベルト係着具３２を、シートベルト貫通孔２０及びシートベルト貫通孔２１に通すだけで子供の身体を固定することができ、シートベルトの取り付け作業は、簡便である。なお、大人は、座部１１に腰をおろし、背もたれ１２に寄りかかり、枕部１３に頭を置く。そして、シートベルト係着具３２を引き寄せ、シートベルト３０及びシートベルト３１を身体の前面に持ってきて、従来通り、シートベルト係着具３２を図示しない既設のシートベルト係着具留め具に留める。このように、大人の場合には、シートベルト貫通孔２０及びシートベルト貫通孔２１を用いない。
【００３３】
［第２の実施例］
図３は、本発明の第２の実施例の大人子供兼用座席シートの前面斜視図である。図４は、本発明の第２の実施例の大人子供兼用座席シートの背面斜視図である。図３において、シートベルト貫通孔４０は、シートベルト３０及びシートベルト３１の一端が支持される壁側の背もたれ１２の縁部に位置する。シートベルト貫通孔４１は、シートベルト３０及びシートベルト３１の他端が支持されるシートベルト留め具側の背もたれ１２の縁部に位置する。また、シートベルト貫通孔４０及び４１は、その中央部が外側に湾曲した状態に形成される。なお、シートベルト貫通孔４０及び４１は、円弧状に形成しても良い。
【００３４】
［第３の実施例］
図５は、本発明の第３の実施例の大人子供兼用座席シートの前面斜視図である。図６は、本発明の第３の実施例の大人子供兼用座席シートの背面斜視図である。シートベルト貫通孔６０は、シートベルト３０及びシートベルト３１の一端が支持される壁側の背もたれ１２の縁部に位置する。シートベルト貫通孔６１は、シートベルト３０及びシートベルト３１の他端が支持されるシートベルト留め具側の背もたれ１２の縁部に位置する。また、シートベルト貫通孔６０及び６１は、その中央部が背もたれ１２の内側に湾曲した状態に形成される。なお、シートベルト貫通孔６０及び６１は、図５に示すように円弧状に形成しても良い。
【００３５】
［第４の実施例］
図７は、本発明の第４の実施例の大人子供兼用座席シートの前面斜視図である。図８は、本発明の第４の実施例の大人子供兼用座席シートの背面斜視図である。シートベルト貫通孔７０は、シートベルト３０及びシートベルト３１の一端が支持される壁側の背もたれ１２の縁部に縦に位置する。シートベルト貫通孔７１は、シートベルト３０及びシートベルト３１の他端が支持されるシートベルト留め具側の背もたれ１２の縁部に縦に位置する。また、シートベルト貫通孔７０は、背もたれ１２の下部から上部に至る長さに形成される。シートベルト貫通孔７１は、シートベルト貫通孔７０に比して短く、背もたれ１２の下方付近に形成される。
【００３６】
本発明の第４の実施例の大人子供兼用座席シートの使用方法を以下に説明する。子供は、座部１１に腰をおろし、背もたれ１２に寄りかかる。次に、父母は、シートベルト係着具３２を引き寄せ、シートベルト係着具３２をシートベルト貫通孔７０を介し背もたれ１２の背面から前面へ通し、シートベルト３０及びシートベルト３１を子供の身体の前面に持ってくる。次に、シートベルト係着具３２をシートベルト貫通孔７１を介し背もたれ１２の前面から背面へ通し、シートベルト係着具３１を図示しない既設のシートベルト留め具に留める。図７は、シートベルト係着具３２を、シートベルト貫通孔７０及びシートベルト貫通孔７１に通すだけで子供の身体を固定することができ、シートベルトの取り付け作業は、簡便である。なお、シートベルト貫通孔７１は、図１及び図２に示すシートベルト貫通孔２１の上方を除いて、背もたれ１２の下方部のみに形成させたものである。図７及び図８のように、シートベルト貫通孔７１は、シートベルト３０及びシートベルト３１を貫通させるために、シートベルト３０及びシートベルト３１に比して同等又はやや大きめに形成させるので、シートベルト３０及びシートベルト３１の他端は背もたれ１２の上方に動くことがない。
【００３７】
［第５の実施例］
図９は、本発明の第５の実施例の大人子供兼用座席シートの前面斜視図である。図１０は、本発明の第５の実施例の大人子供兼用座席シートの背面斜視図である。シートベルト貫通孔９０は、シートベルト３０及びシートベルト３１の一端が支持される壁側の背もたれ１２の縁部の一方に位置する。また、シートベルト貫通孔９０は、背もたれ１２の下部から上部に至る長さに形成される。
【００３８】
本発明の第５の実施例の大人子供兼用座席シートの使用方法を以下に説明する。子供は、座部１１に腰をおろし、背もたれ１２に寄りかかる。次に、父母は、シートベルト係着具３２を引き寄せ、シートベルト係着具３２をシートベルト貫通孔９０を介し背もたれ１２の背面から前面へ通し、シートベルト３０及びシートベルト３１を子供の身体の前面に持ってくる。次に、シートベルト係着具３２をシートベルト貫通孔を通さずに図示しない既設のシートベルト留め具に留める。図1０は、シートベルト係着具３２を、シートベルト貫通孔９０に一度通すだけで身体を固定することができ、シートベルトの取り付け作業は、極めて簡便である。
【００３９】
［第６の実施例］
図１１（ａ）は、本発明の第６の実施例の大人子供兼用座席シートの前面斜視図である。図１１（ｂ）は、本発明の第６の実施例の大人子供兼用座席シートの滑り止め部材の要部拡大図である。滑り止め部材１００は、シートベルトとの接触抵抗の大きな部材であり、シートベルト貫通孔２０及びシートベルト貫通孔２１の内周面に設けられ、図１１（ａ）に示すように、下方から上方に至る長さに形成される。シートベルト３０及び３１がシートベルト貫通孔２０及びシートベルト貫通孔２１に通されると、滑り止め部材１００は、シートベルト３０及び３１と接触する。これにより、自動車事故などの衝撃によって、シートベルト３０及びシートベルト３１が上下方向に動く力が働いても、シートベルト３０及びシートベルト３１は、滑り止め部材１００で上下に滑って動くことがない。なお、滑り止め部材１００は、ゴムを用いても良い。また、シートベルト貫挿孔２１は、図７及び図８に示すシートベルト貫挿孔７１のように、背もたれ１２の下方付近のみに形成させることができる。なお、図１１（ｃ）のように、滑り止め部材は、シートベルト貫挿孔の内周縁を沿う滑り止め部材１０１のようなものでも良い。
【００４０】
［第７の実施例］
図１２（ａ）は、本発明の第７の実施例の大人子供兼用座席シートの前面斜視図である。図１２（ｂ）は、本発明の第７の実施例の大人子供兼用座席シートのシートベルト貫通孔の蒲鉾状突起の要部拡大図である。蒲鉾状突起１１０は、シートベルト貫通孔２０及びシートベルト貫通孔２１の内周面に設けられ、図１２（ａ）に示すように、下方から上方に至るまで所定の間隔で多段的に形成される。また、蒲鉾状突起１１０は、その間隔をシートベルト３０及びシートベルト３１に比して同等又はやや大きめに形成させるので、蒲鉾状突起１１０で、シートベルト３０及びシートベルト３１を引っかけることができる。これにより、自動車事故などの衝撃によって、シートベルト３０及びシートベルト３１が上下方向に動く力が働いても、シートベルト３０及びシートベルト３１の一端は、蒲鉾状突起１１０に引っかかり、上下へ動くことがない。また、シートベルト３０及びシートベルト３１の一端は、相対向する蒲鉾状突起１１０の各隙間を通し、シートベルト３０及びシートベルト３１を上下に移動させることができ、シートベルト３０及びシートベルト３１を貫通させる位置を変えることができる。なお、図１２において、突起は、蒲鉾状に描いているが、長方形柱等でも良く、また、図１２（ｃ）のように、鋲１１１のようなものでも良い。
【００４１】
［第８の実施例］
図１３（ａ）は、本発明の第８の実施例の大人子供兼用座席シートの前面斜視図である。図１３（ｂ）は、本発明の第８の実施例の大人子供兼用座席シートのストッパー構造の要部拡大図である。切欠部１１２は、シートベルト貫通孔２０に設けられ、図１３（ａ）に示すように、下方から上方に至るまで所定の間隔で多段的に形成される。ストッパー１１３は、図１３（ｂ）に示すように、切欠部１１２に貫挿され、シートベルト３０が自動車事故や急ブレーキなどの衝撃でシートベルト３０が上方に強く引っ張られた際に、シートベルト３０がストッパー１１３にぶつかり、シートベルト３０が上方に移動することを防止する。なお、ストッパー１１３は、金属片をスポンジで包みブロック状に縫合した物、又は硬質スポンジなどで形成させることができる。また、ストッパー１１３は、複数設けた切欠部１１２のいずれにも挿入することができる。そのため、子供の背丈と同じ高さでストッパー１１３を切欠部１１２に挿入させることによって、父母は、子供の体格や背丈に応じた高さで、子供の身体を固定させることができる。
【００４２】
［第９の実施例］
図１４は、本発明の第９の実施例の大人子供兼用座席シートの背面斜視図である。フック１１４は、背もたれ１２の背面縁部に位置し、シートベルト貫通孔２０と並んで下方から上方に至るまで複数形成させる。シートベルト係着具３２をシートベルト貫挿孔２０に貫挿させる際には、シートベルト３０をフック１１４の下を通し引っかける。シートベルト３０は、自動車事故などの衝撃が加わったときに、上方に移動しようとするが、シートベルト３０は、フック１１４に引っかかるので、上方に移動することがない。フック１１４は、シートベルト３０が上方に移動することを防止する。また、フック１１４は、背もたれ１２の下方から上方に至るまで所定の間隔で複数形成されるので、父母は、子供の体格や背丈に合った高さでフック１１４を用いることができ、シートベルト３０を子供の身体に確実に固定させることができる。ここで、所定の間隔とは、例えばフック１１４を３つ設ける又は４つ設けるなど、製造業者や使用者のニーズに応じて採用される間隔であり、フック１１４を設ける位置や個数で決まる。フック１１４は、その間隔を適宜変更して複数個所に設けることができる。
【００４３】
次に、本発明の第１から第７の実施例の大人子供兼用座席シートにおいて、子供の背丈や体格の成長に応じて、長年使用できることを以下に説明する。図１５（ａ）（ｂ）（ｃ）は、子供が本発明の第１の実施例の大人子供兼用座席シートを着用した状態を示す模式図である。シートベルト係着具３２がシートベルト貫通孔２０を背面から前面へ通されると、シートベルト３０及びシートベルト３１の一端は、シートベルト貫通孔２０とそれぞれ当設部２０ａ及び当設部２０ｂで接する。また、シートベルト係着具３２がシートベル貫通孔２０を前面から背面へ通されると、シートベルト３０及びシートベルト３１の他端は、シートベルト貫通孔２１とそれぞれ当設部２１ａ及び当設部２１ｂで接する。また、当設部２０ａは、その位置をシートベルトを着用する子供の背丈に合わせた位置、すなわち、子供の左肩のやや上方に位置にする。当設部２０ｂ、当設部２１ａ、及び当設部２１ｂは、その位置をシートベルトを着用する子供の腰骨あたりに位置する。この座席シートを用いることによって、大人がシートベルトを着用するのと同様に、子供も安全に身体を固定できる。
【００４４】
また、子供の背丈が小さいときは、当設部２０ａは、図１５（ａ）に示すように、シートベルト貫通孔２０の下方に位置する。子供が成長し、体格が大きくなると、当設部２０ａは、図１５（ｂ）に示すように、シートベルト貫通孔２０の中段に位置する。子供が成長し、背丈がさらに大きくなったときは、当設部２０ａは、図１５（ｃ）に示すように、シートベルト貫通孔２０の上方に位置する。つまり、当設部２０ａは、子供の背丈や体格に応じて、位置が変わる。当設部２０ａの位置が変わることによって、シートベルト３０は、子供の背丈や体格に合わせた位置で常に子供の身体を固定する。そのため、子供の背丈や体格が大きくなるのに応じて、図１５（ａ）から図１５（ｂ）へ、図１５（ｂ）から図１５（ｃ）へと位置を変更させ、座席シートを長年使用し続けることができる。
【００４５】
次に、本発明の第１から第７の実施例の大人子供兼用座席シートにおいて、自動車の車内に既設させる位置を以下に説明する。図１６は、自動車の車内を模式的に示した図である。席Ａは、運転席であり、席Ｂは、助手席であり、席Ｃから席Ｇは、後部座席である。本発明の実施例の大人子供兼用座席シート１ないし実施例３の大人子供兼用座席シートは、席Ｂから席Ｇのいずれかに設けることができる。また、一般的に、シートベルトの固定端は、車内の壁側に設けられている。壁側のシートベルトは、上方と下方で固定されているので、壁側のシートベルト貫通孔は、下方付近のみに形成させることができず、下方から上方に至る長さに形成させる必要がある。そのため、本発明の実施例４の大人子供兼用座席シートは、席Ｂ、席Ｅ、及び席Ｇに設けることができ、長短のシートベルト貫挿孔を入れ替えれば、席Ｃ、席Ｄ、及び席Ｆに設けることができる。本発明の実施例５の大人子供兼用座席シートは、席Ｂ、席Ｅ、及び席Ｇに設けることができ、長いシートベルト貫挿孔を入れ替えれば、席Ｃ、席Ｄ、及び席Ｆに設けることができる。
【００４６】
なお、本発明の実施例１から実施例７の大人子供兼用座席シートに係るシートベルト貫通孔は、その機能を発揮する範囲において、一方を直線状で他方を湾曲状に形成させるなど、上記で説明した位置関係に限られず変更することができ、また、その機能を発揮する範囲において、その形状を波状、矩形状などに形成させることができる。
【図面の簡単な説明】
【００４７】
【図１】本発明の第１の実施例の大人子供兼用座席シートの前面斜視図である。
【図２】本発明の第１の実施例の大人子供兼用座席シートの背面斜視図である。
【図３】本発明の第２の実施例の大人子供兼用座席シートの前面斜視図である。
【図４】本発明の第２の実施例の大人子供兼用座席シートの背面斜視図である。
【図５】本発明の第３の実施例の大人子供兼用座席シートの前面斜視図である。
【図６】本発明の第３の実施例の大人子供兼用座席シートの背面斜視図である。
【図７】本発明の第４の実施例の大人子供兼用座席シートの前面斜視図である。
【図８】本発明の第４の実施例の大人子供兼用座席シートの背面斜視図である。
【図９】本発明の第５の実施例の大人子供兼用座席シートの前面斜視図である。
【図１０】本発明の第５の実施例の大人子供兼用座席シートの背面斜視図である。
【図１１】（ａ）は、本発明の第６の実施例の大人子供兼用座席シートの前面斜視図である。（ｂ）は、本発明の第６の実施例の大人子供兼用座席シートの滑り止め部材の要部拡大図である。
【図１２】（ａ）は、本発明の第７の実施例の大人子供兼用座席シートの前面斜視図である。（ｂ）は、本発明の第７の実施例の大人子供兼用座席シートの蒲鉾状突起の要部拡大図である。
【図１３】（ａ）は、本発明の第８の実施例の大人子供兼用座席シートの前面斜視図である。（ｂ）は、本発明の第８の実施例の大人子供兼用座席シートの要部拡大図である。
【図１４】本発明の第９の実施例の大人子供兼用座席シートの背面斜視図である。
【図１５】（ａ）（ｂ）（ｃ）は、子供が本発明の第１の実施例の大人子供兼用座席シートを着用した状態を示す模式図である。
【図１６】自動車の車内を模式的に示した図である。
【図１７】既設の座席シートに取り付けた従来の子供用座席シートを示す参考図
【図１８】座席シートにシートベルト係止具を設けた従来の大人子供兼用座席シートを示す参考図
【符号の説明】
【００４８】
１    座席シート
１１  座部
１２  背もたれ
１３  枕部
２０、２１、４０、４１、６０、６１、７０、７１、９０  シートベルト貫通孔
２０ａ、２０ｂ、２１ａ、２１ｂ  当設部
１００、１０１  滑り止め部材
１１０  蒲鉾状突起
１１１  鋲
１１２  切欠部
１１３  ストッパー
１１４  フック
【図１】
2007253702.tif 000003
【図２】
2007253702.tif 000004
【図３】
2007253702.tif 000005
【図４】
2007253702.tif 000006
【図５】
2007253702.tif 000007
【図６】
2007253702.tif 000008
【図７】
2007253702.tif 000009
【図８】
2007253702.tif 000010
【図９】
2007253702.tif 000011
【図１０】
2007253702.tif 000012
【図１１】
2007253702.tif 000013
【図１２】
2007253702.tif 000014
【図１３】
2007253702.tif 000015
【図１４】
2007253702.tif 000016
【図１５】
2007253702.tif 000017
【図１６】
2007253702.tif 000018
【図１７】
2007253702.tif 000019
【図１８】
2007253702.tif 000020